(57)【要約】      （修正有）【課題】ユーザの状態の変化を、ユーザに対してより適切に認識させることができる報知装置、報知方法及びプログラムを提供する。【解決手段】報知装置は、体調情報取得部１１１あるいは化粧情報取得部と、報知部としての発光部１７及び表示部１９と、制御部１１４と、判定部１１２とを備える。体調情報取得部１１１あるいは化粧情報取得部は、顔情報を取得する。報知部としての発光部１７及び表示部１９は、顔情報に基づく報知を行う。判定部１１２は、報知前の顔情報と、報知後の顔情報との変化を判定する。制御部１１４は、判定部１１２による判定結果に基づいて報知部としての発光部１７及び表示部１９による報知を制御する。【選択図】図４
2019125358.tif 000002
【特許請求の範囲】
【請求項１】
顔情報を取得する顔情報取得手段と、
前記顔情報に基づく報知を行う報知手段と、
報知前の前記顔情報と、報知後の前記顔情報との変化を判定する判定手段と、
前記判定手段による判定結果に基づいて前記報知手段による報知を制御する制御手段と、
を備えることを特徴とする報知装置。
【請求項２】
前記報知手段を複数種備えると共に、
前記報知手段の種類を選択する選択手段を更に備え、
前記制御手段は、前記選択手段により選択された前記報知手段による報知を制御する、
ことを特徴とする請求項１に記載の報知装置。
【請求項３】
報知前の前記顔情報と報知後の前記顔情報との差分を算出する算出手段を更に備え、
前記制御手段は、前記算出手段が算出した差分を前記報知手段に報知させる、
ことを特徴とする請求項１に記載の報知装置。
【請求項４】
前記制御手段は、前記顔情報を強調するように前記報知手段に報知させる、
ことを特徴とする請求項１から３の何れか１項に記載の報知装置。
【請求項５】
前記制御手段は、前記顔情報に応じた所定の行動を促す情報を前記報知手段に報知させる、
ことを特徴とする請求項１から３の何れか１項に記載の報知装置。
【請求項６】
前記顔情報取得手段は、前記顔情報として、前記顔情報の取得対象である被写体の画像を取得し、
前記判定手段は、前記被写体の画像に基づいて、報知前の前記顔情報と、報知後の前記顔情報との変化を判定する、
ことを特徴とする請求項１から５の何れか１項に記載の報知装置。
【請求項７】
前記報知手段は発光により報知を行うものであり、
前記制御手段は、前記判定手段による判定結果に基づいて前記報知手段の発光による報知を制御する、
ことを特徴とする請求項１から６の何れか１項に記載の報知装置。
【請求項８】
前記報知手段は文字により報知を行うものであり、
前記制御手段は、前記判定手段による判定結果に基づいて前記報知手段により報知される文字を制御する、
ことを特徴とする請求項１から７の何れか１項に記載の報知装置。
【請求項９】
前記報知手段は文字により報知を行うものであり、
前記制御手段は、前記判定手段による判定結果に基づいて前記報知手段により報知される文字の表示位置を制御する、
ことを特徴とする請求項１から８の何れか１項に記載の報知装置。
【請求項１０】
前記顔情報の取得対象である被写体を表示する表示部を有し、
前記表示部は、鏡もしくは画像表示部であることを特徴とする請求項１から９の何れか１項に記載の報知装置。
【請求項１１】
前記顔情報取得手段は、前記顔情報として体調に関する情報又は化粧に関する情報を取得することを特徴とする請求項１から１０に記載の報知装置。
【請求項１２】
前記報知手段は、前記顔情報に基づいて、支援情報又は評価情報を報知することを特徴とする請求項１から１１の何れか１項に記載の報知装置。
【請求項１３】
顔情報を取得する顔情報取得ステップと、
前記顔情報に基づいた報知を行う報知ステップと、
報知前の前記顔情報と、報知後の前記顔情報との変化を判定する判定ステップと、
前記判定ステップにおける判定結果に基づいて前記報知ステップによる報知を制御する制御ステップと、
を含むことを特徴とする報知方法。
【請求項１４】
コンピュータに、
顔情報を取得する顔情報取得機能と、
前記顔情報に基づいて報知を行う報知機能と、
報知前の前記顔情報と、報知後の前記顔情報との変化を判定する判定機能と、
前記判定機能による判定結果に基づいて前記報知機能による報知を制御する制御機能と、
を実現させることを特徴とするプログラム。
【発明の詳細な説明】
【技術分野】
【０００１】
本発明は、報知装置、報知方法及びプログラムに関する。
【背景技術】
【０００２】
近年、ユーザの状態（例えば、体調に関する状態や、化粧に関する状態）を示す情報を取得し、取得した情報を様々に利用する技術が存在する。
例えば、特許文献１には、ユーザの顔の情報を取得し、取得した顔の情報に基づいた報知を、ユーザに対して行うという構成が開示されている。
【先行技術文献】
【特許文献】
【０００３】
【特許文献１】特開２０１４−１６６２１８号公報
【発明の概要】
【発明が解決しようとする課題】
【０００４】
しかしながら、特許文献１に開示の技術等の従来の技術では、或る時点でのユーザの状態に基づいた報知を行うにとどまる。そのため、ユーザが、自身の状態の変化を認識することが難しい場合があった。例えば、ユーザが、マッサージ等の施術により表情が改善したかを認識することや、化粧を適切に行うことができたかを認識することが難しい場合があった。
【０００５】
本発明は、このような状況に鑑みてなされたものであり、ユーザの状態の変化を、ユーザに対してより適切に認識させることを目的とする。
【課題を解決するための手段】
【０００６】
上記目的を達成するため、本発明の一態様の報知装置は、
顔情報を取得する顔情報取得手段と、
前記顔情報に基づく報知を行う報知手段と、
報知前の前記顔情報と、報知後の前記顔情報との変化を判定する判定手段と、
前記判定手段による判定結果に基づいて前記報知手段による報知を制御する制御手段と、
を備えることを特徴とする。
【発明の効果】
【０００７】
本発明によれば、ユーザの状態の変化を、ユーザに対してより適切に認識させることができる。
【図面の簡単な説明】
【０００８】
【図１】本発明の一実施形態に係る報知装置の前面の外観構成を示す構成図である。
【図２】報知装置の側面の外観構成を示す構成図である。
【図３】報知装置のハードウェアの構成を示すブロック図である。
【図４】報知装置の機能的構成のうち、体調報知処理を実行するための機能的構成を示す機能ブロック図である。
【図５】報知装置が実行する体調報知処理の流れを説明するフローチャートである。
【図６】報知装置が実行する体調報知処理時の、鏡部及び報知部の遷移について説明するイメージ図である。
【図７】報知装置の機能的構成のうち、化粧報知処理を実行するための機能的構成を示す機能ブロック図である。
【図８】報知装置が実行する化粧報知処理の流れを説明するフローチャートである。
【発明を実施するための形態】
【０００９】
以下、本発明の実施形態について、図面を用いて説明する。
本発明の一実施形態に係る報知装置１は、ユーザが携帯可能な自立式の鏡として構成される。そして、報知装置１は、鏡に正対したユーザの体調情報を取得する。また、報知装置１は、報知手段を制御することにより、体調情報を改善させるための支援情報を報知する。更に、報知装置１は、支援情報の報知後に、体調情報が改善したか否かを判定する。
【００１０】
このような報知装置１によれば、ユーザは、支援情報により、体調情報を改善するための方法を把握することができる。また、報知装置１は、体調情報を改善するための方法を把握したユーザの体調が改善したか否かを判定した上で、任意の処理を行うことができる。すなわち、報知装置１によれば、ユーザ自身の体調情報を、ユーザに対してより適切に認識させることが可能となる。
【００１１】
［外観構成］
図１は、本発明の一実施形態に係る報知装置１の前面の外観構成を示す構成図である。また、図２は、報知装置１の側面の外観構成を示す構成図である。報知装置１の前面の大きさは、例えば、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）２１６で規定されるＡ４サイズに形成される。
【００１２】
図１及び図２に示すように、報知装置１は、鏡部３０と、脚部３１とを含んで構成される。鏡部３０は、反射面を有した鏡である。
脚部３１及びヒンジ部３２は、報知装置１を自立させるための機構である。脚部３１は、ヒンジ部３２によって鏡部３０に回動可能に接合される。
図２（Ａ）に示すように、ユーザは、報知装置１を携帯する際に、鏡部３０の側面と、脚部３１の側面とを揃えて、嵩張らない形状として持ち運ぶことができる。一方で、図２（Ｂ）に示すように、ユーザは、報知装置１を机等に設置して利用する際には、ヒンジ部３２を中心点として脚部３１を回動させることにより、報知装置１を自立させることができる。なお、報知装置１を自立可能とするために、ヒンジ部３２は、脚部３１が所定の角度を保った状態で保持するための構造を有している。
【００１３】
図１に示すように、報知装置１は、更に、撮像部１６、発光部１７、入力部１８、及び表示部１９を備えている。
【００１４】
撮像部１６は、報知装置１の利用時に、鏡部３０に正対するユーザを被写体として撮像する部分である。撮像部１６は、鏡部３０に正対するユーザの顔画像を撮像可能な位置に配置される。
【００１５】
発光部１７は、鏡部３０に正対するユーザを照らすために発光する部分である。発光部１７が、ユーザを照らすことにより、報知装置１は、照明付きの鏡（「女優ミラー」と呼ばれる場合もある。）として機能する。また、発光部１７は、後述の体調報知処理における、報知部として報知も行う。
なお、発光部１７は、鏡部３０の両端それぞれに複数箇所配置される。ただし、図示の都合上、図１では、１つの発光部１７についてのみ符号を付し、他の発光部１７については符号を省略する。
【００１６】
入力部１８は、ユーザによる操作入力を受け付ける部分である。図１では、操作内容に応じた入力部１８として、入力部１８ａ、入力部１８ｂ、入力部１８ｃ、及び入力部１８ｄを図示する。ここで、入力部１８ａは、メイクモードへの切り替えを行うための操作を受け付ける。また、入力部１８ｂは、ケアモードへの切り替えを行うための操作を受け付ける。更に、入力部１８ｃは、各種の設定を行うための設定モードへの切り替えを行うための操作を受け付ける。更に、入力部１８ｄは、報知装置１の電源のオン／オフの切り替えを行うための操作を受け付ける。
【００１７】
表示部１９は、後述の体調報知処理における、報知部として報知を行う部分である。表示部１９は、文字等のメッセージや、画像等を表示する。また、表示部１９は、撮像部１６が撮像した、鏡部３０に正対するユーザの顔画像を表示してもよい。報知装置１では、鏡部３０を構成する反射部の反射面と、表示部１９の表示面とが、ユーザから同時に視認可能に、鏡部３０に正対するユーザの視認方向に重畳して配置される。
【００１８】
例えば、液晶ディスプレイにより構成された表示部１９が、ハーフミラーにより構成された鏡部３０の視認方向における奥側に、並行に重ねて配置される。
このような配置により、ユーザは鏡部３０により反射された自身の顔と、表示部１９に表示された情報とを同時に視認することができる。なお、図１の例では、画面上部に表示部１９の表示領域を設け、画面下部に鏡部３０の反射領域を設けている。
【００１９】
以上、報知装置１の外観構造について説明をした。ただし、この構造は一例に過ぎず、報知装置１の外観構造は、この例に限定されない。
例えば、撮像部１６は、図１に示すように鏡部３０の上部に配置されてもよいが、例えば、鏡部３０の下部に配置されてもよい。また、表示部１９と同様に、撮像部１６が、ハーフミラーにより構成された鏡部３０の視認方向における奥側に、並行に重ねて配置されるようにしてもよい。
【００２０】
また、例えば、発光部１７が、鏡部３０の上部や下部に配置されてもよく、鏡部３０の周辺全体に配置されてもよい。更に、例えば、入力部１８の数や配置が変更されてもよい。また、例えば、表示部１９の一部がタッチパネルとして構成され、入力部１８と表示部１９とが一体に構成されてもよい。
【００２１】
更に、例えば、表示部１９により実現される表示領域は、画面上部に配置してもよいが、他の位置に配置してもよい。例えば、鏡部３０の中央部分にユーザの顔が映し出されることを想定し、その中央部分の周辺に表示領域を配置するようにしてもよい。
【００２２】
更に、例えば、報知装置１の前面の一部に鏡部３０を配置し、前面の他の一部に表示部１９を配置するようにしてもよい。つまり、鏡部３０と表示部１９とを必ずしも重畳して配置させなくてもよい。
【００２３】
［ハードウェア構成］
図３は、報知装置１のハードウェアの構成を示すブロック図である。
図３に示すように、報知装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、発光部１７と、入力部１８と、表示部１９と、記憶部２０と、ドライブ２１と、を備えている。
【００２４】
ＣＰＵ１１は、ＲＯＭ１２に記録されているプログラム、または、記憶部２０からＲＡＭ１３にロードされたプログラムに従って各種の処理を実行する。
【００２５】
ＲＡＭ１３には、ＣＰＵ１１が各種の処理を実行する上において必要なデータ等も適宜記憶される。
【００２６】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６と、発光部１７と、入力部１８と、表示部１９と、記憶部２０と、及びドライブ２１が接続されている。
【００２７】
撮像部１６は、図示はしないが、光学レンズ部と、イメージセンサと、を備えている。
【００２８】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
撮像部１６にはまた、必要に応じて、焦点、露出、ホワイトバランス等の設定パラメータを調整する周辺回路が設けられる。
【００２９】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号は、ＣＰＵ１１等に適宜供給される。
【００３０】
発光部１７は、ＲＧＢカラーモデルにおける各色に対応するＬＥＤ（Ｌｉｇｈｔ  Ｅｍｉｔｔｉｎｇ  Ｄｉｏｄｅ）等の発光体と、ＲＧＢカラーモデルに基づいて発光体の発光における色成分を調整可能な制御回路とから構成される。発光部１７は、報知装置１の起動と共に、ＲＧＢの色成分を所定の状態に調整して発光することにより、ユーザを照らす。この所定の状態とは、鏡部３０に映し出されたユーザの顔が自然に見える状態である。また、発光部１７は、ＣＰＵ１１からの指示に基づいて、例えばＲに対応する発光体の発光を抑えることにより、例えば、Ｒ成分を軽減させて発光する。
【００３１】
入力部１８は、各種ボタン等で構成され、ユーザの指示操作に応じて各種情報を入力する。
【００３２】
表示部１９は、液晶ディスプレイ等で構成され、ＣＰＵ１１が出力する画像データに対応する画像を表示する。鏡部３０は、ハーフミラーで構成され、例えば、ユーザの顔が映し出される。表示部１９と、鏡部３０の配置については、図１を参照して上述した通りである。
【００３３】
記憶部２０は、ＤＲＡＭ（Ｄｙｎａｍｉｃ  Ｒａｎｄｏｍ  Ａｃｃｅｓｓ  Ｍｅｍｏｒｙ）等の半導体メモリで構成され、各種データを記憶する。
【００３４】
ドライブ２１には、磁気ディスク、光ディスク、光磁気ディスク、あるいは半導体メモリ等よりなる、リムーバブルメディア１００が適宜装着される。リムーバブルメディア１００には、後述の体調報知処理を実行するためのプログラムや、画像データ等の各種データが格納される。ドライブ２１によってリムーバブルメディア１００から読み出されたプログラムや、画像データ等の各種のデータは、必要に応じて記憶部２０にインストールされる。
【００３５】
なお、報知装置１は、上述したハードウェア構成に加えて、他のハードウェア構成を更に備えていてもよい。例えば、報知装置１は、ランプやスピーカあるいは振動用モータ等で構成され、光や音声あるいはバイブレーション信号を出力する出力部を備えていてもよい。また、例えば、報知装置１は、インターネットを含むネットワークを介して他の装置（図示せず）との間で通信を行うための通信部等を備えていてもよい。
【００３６】
［機能的構成］
図４は、報知装置１の機能的構成のうち、体調報知処理を実行するための機能的構成を示す機能ブロック図である。
体調報知処理とは、報知装置１が体調情報に基づいた報知を行う一連の処理である。
体調報知処理が実行される場合、図４に示すように、ＣＰＵ１１において、体調情報取得部１１１と、判定部１１２と、選択部１１３と、制御部１１４とが機能する。
また、記憶部２０の一領域には、判定情報記憶部２０１と、報知情報記憶部２０２とが設定される。
【００３７】
判定情報記憶部２０１には、判定部１１２が体調情報についての判定を行うための情報が格納される。具体的には、体調報知処理において取得したユーザの体調情報や、判定の基準となる体調情報が格納される。
【００３８】
報知情報記憶部２０２には、制御部１１４の制御に基づいて、発光部１７や表示部１９が報知を行うための情報が格納される。具体的には、発光部１７の発光を制御するための制御情報や、表示部１９に表示をするための文字データ（テキストデータ）や画像データが格納される。以下の説明において、発光部１７と表示部１９の双方を、適宜「報知部」と称する。
【００３９】
なお、判定情報記憶部２０１や、報知情報記憶部２０２に格納される体調情報や報知情報等の各種のデータについては、記憶部２０にのみ格納されていてもよいが、ドライブ２１によってリムーバブルメディア１００から適宜読み出されるようにしてもよい。
【００４０】
体調情報取得部１１１は、ユーザの体調を示す情報である体調情報を取得する部分である。本実施形態において、体調情報取得部１１１は、撮像部１６が撮像した画像を解析して、解析結果を体調情報として取得する。ここで、図１を参照して上述したように撮像部１６は、鏡部３０に正対したユーザの顔が撮像される位置に配置される。従って、撮像部１６が撮像したこの画像には、ユーザの顔部分の画像が含まれている。
【００４１】
体調情報取得部１１１は、まず、この画像を解析して、画像内におけるユーザの顔部分に対応する領域を特定する。例えば、体調情報取得部１１１は、画像内におけるユーザの顔の輪郭を抽出したり、目等の特徴点を抽出したりすることにより、ユーザの顔部分に対応する領域を特定する。次に、体調情報取得部１１１は、特定したユーザの顔部分に対応する領域の各画素について、色についての解析を行う。例えば、各画素についてＲＧＢ値を算出し、各画素のＲの値を積算することにより、ユーザの体調情報とする。
つまり、本実施形態では、ユーザの顔の赤みを、ユーザの体調やメンタルの状態を示す体調情報として利用する。これは、一般に青白い顔よりも、赤みを帯びた顔の方が、疲れを感じさせず健康的な顔色であると捉えられるからである。
【００４２】
なお、各画素のＲの値を積算する際に、重み付けを行うようにしてもよい。例えば、ユーザの顔部分に対応する領域を特定する際に、赤みが特徴として出やすい頬や唇の領域を更に特定する。そして、この赤みが特徴として出やすい頬や唇の領域のＲの値については、他の領域のＲの値よりも重みをつけて積算を行うようにしてもよい。
【００４３】
体調情報取得部１１１は、体調報知処理の開始時に、上述のように解析を行うことにより体調情報を取得する（以下、この体調情報を「第１の体調情報」と称する。）。また、その後所定時間が経過すると、体調情報取得部１１１は、上述のように解析を行うことにより再度体調情報を取得する（以下、この体調情報を「第２の体調情報」と称する。）。
【００４４】
そして、体調情報取得部１１１は、このように解析を行うことにより取得した体調情報のそれぞれを、判定情報として、判定情報記憶部２０１に格納する。また、体調情報取得部１１１は、過去に取得した体調情報の履歴の平均値を、基準となる体調情報（以下、この体調情報を「基準体調情報」と称する。）として判定情報記憶部２０１に格納する。
【００４５】
判定部１１２は、判定情報記憶部２０１に格納されている体調情報に基づいた判定を行う部分である。この点、上述したように、本実施形態では、ユーザの顔に赤みに対応するＲの値を体調情報としている。そこで、判定部１１２は、ユーザの顔に赤みに対応するＲの値に基づいて判定を行う。
【００４６】
判定部１１２は、まず第１の体調情報と、基準体調情報とを比較し、この比較結果に基づいて、体調報知処理の開始時のユーザの体調情報が基準と比べて良好であるか否かを判定する。
具体的には、判定部１１２は、第１の体調情報と、基準体調情報とを比較し、基準体調情報よりも第１の体調情報の方がＲの値が高い場合に、体調報知処理の開始時のユーザの体調が良好であると判定する。なお、第１の体調情報と、基準体調情報とを比較するためにＲの値を用いたがこれに限らず、ＲＧＢのうち少なくとも１つ以上のパラメータとして比較を行ってもよく、更には画像解析や生体センサから得られる生体情報を用いて比較を行うようにしてもよい。
【００４７】
また、判定部１１２は、第１の体調情報と、第２の体調情報とを比較し、この比較結果に基づいて、体調情報が改善したか否かを判定する。
具体的には、判定部１１２は、第１の体調情報と、第２の体調情報とを比較し、第１の体調情報のＲの値よりも第２の体調情報のＲの値の方が所定値以上増加していた場合に、体調報知処理を行ったことによりユーザの体調情報が改善したと判定する。なお、第１の体調情報と、第２の体調情報との比較においてもＲの値を用いたがこれに限らず、ＲＧＢのうち少なくとも１つ以上のパラメータとして比較を行ってもよく、更には画像解析や生体センサから得られる生体情報を用いて比較を行うようにしてもよい。
【００４８】
判定部１１２は、このような判定により得られた判定結果を、後述の制御部１１４に対して出力する。
【００４９】
選択部１１３は、体調報知処理において、報知に用いる報知部を選択する部分である。選択部１１３は、体調情報に基づいて決定される報知の内容等に応じて、適切な報知部を選択する。
【００５０】
制御部１１４は、判定部１１２の判定結果に基づいて、選択部１１３が選択した報知部を制御することにより報知を実行する部分である。
これら各部が協働して実行される報知の具体的な内容については、以下の［動作］の説明において詳細に説明する。
【００５１】
［動作］
次に、報知装置１の動作を説明する。
図５は、報知装置１が実行する体調報知処理の流れを説明するフローチャートである。また、図６は、体調報知処理時の鏡部３０及び報知部（すなわち、発光部１７及び表示部１９）の遷移について説明するイメージ図である。
体調報知処理は、報知装置１の起動と共に開始される。
【００５２】
ステップＳ１１において、体調情報取得部１１１は、撮像部１６の撮像した画像を解析することにより、鏡部３０の前にユーザ検出すると、第１の体調情報を取得する。
【００５３】
ステップＳ１２において、判定部１１２は、ステップＳ１１にて取得された第１の体調情報と、判定情報記憶部２０１に格納された基準体調情報とを比較し、体調報知処理の開始時のユーザの体調が良好であるか否かを判定する。
【００５４】
ユーザの体調が良好である場合には、ステップＳ１２においてＹｅｓと判定され、処理は終了する。すなわち、ユーザの体調が良好であるので、特に報知を行うことなく処理を終了する。この場合、報知装置１は、発光する発光部１７と、ユーザを映し出す鏡部３０とにより、照明付きの鏡として機能する。一方で、ユーザの体調が良好でないと判定された場合には、ステップＳ１２においてＮｏとなり、処理はステップＳ１３に進む。
【００５５】
ステップＳ１３において、選択部１１３及び制御部１１４が協働することにより、ユーザに対して報知を行う。この報知において、例えば、選択部１１３は、報知部として表示部１９を選択する。そして、制御部１１４は、ユーザに対して、例えば、「顔色が優れませんよ。」や「疲れているようですよ。」等の体調に係るアドバイスを含むメッセージやイラストを表示部１９に表示することで報知する。この場合に、後述のメイクモードへの設定を促すメッセージとして、例えば「メイクをしますか？」等のメッセージを更に表示部１９に表示すようにしてもよい。
【００５６】
ステップＳ１３における報知を行った場合の、鏡部３０及び報知部（すなわち、発光部１７及び表示部１９）の状態について図６（Ａ）として示す。この場合、発光部１７は、報知装置１の起動と共に、ＲＧＢの色成分を所定の状態に調整して発光している。また、鏡部３０には、この所定の状態に調整された発光により照らされたユーザの顔が映し出される。更に、表示部１９には、上述したようなメッセージが表示される。
ユーザは、このような報知を受けることにより、自身の体調が良好でないことに気付くことができる。
【００５７】
ステップＳ１４において、制御部１１４は、現在何れのモードに設定されているかを判定する。ここで、本実施形態では、「メイクモード」と「ケアモード」の２つのモードを設ける。そして、制御部１１４は、図１に示した入力部１８ａや入力部１８ｂによるユーザの操作に基づいて、何れかのモードに設定をする。ユーザの操作に基づいた設定は、体調報知処理に先立って予め行われてもよいし、体調報知処理の過程において行われてもよい。例えば、ステップＳ１３の報知を受けたユーザが操作を行うことにより、モードが設定されてもよい。
【００５８】
ユーザがメイクモードを選択したことにより、メイクモードに設定されている場合には、ステップＳ１４において「メイクモード」と判定され、処理はステップＳ１５に進む。一方で、ユーザがケアモードを選択したことにより、ケアモードに設定されている場合には、ステップＳ１４において「ケアモード」と判定され、処理はステップＳ１８に進む。
【００５９】
メイクモードが選択されている場合は、ステップＳ１５において、選択部１１３及び制御部１１４が協働することにより、ユーザに対して報知を行う。この報知において、例えば、選択部１１３は、報知部として発光部１７を選択する。そして、制御部１１４は、発光部１７を制御することにより、意図的に発光部１７のＲの成分を抑制する。これにより、ユーザの顔に赤みが足りず、顔色が悪い事を強調する。つまり、制御部１１４は、体調情報取得部１１１が取得する体調情報をより強調する。また、ユーザに対しても、鏡部３０に映し出される顔の赤みという体調情報をより強調する。更に、選択部１１３は、報知部として表示部１９を選択する。そして、制御部１１４は、ユーザに対して、例えば、メイクのサンプル画像とサンプルが使用している色見本を表示部１９に表示することで報知する。
【００６０】
ステップＳ１５における報知を行った場合の、鏡部３０及び報知部（すなわち、発光部１７及び表示部１９）の状態について図６（Ｂ−１）として示す。この場合、発光部１７は、意図的にＲの成分を抑制した発光をしている。また、鏡部３０には、このＲの成分を抑制した発光により照らされたユーザの顔が映し出される。更に、表示部１９には、メイクのサンプル画像とサンプルが使用している色見本が表示される。
ユーザは、このような報知を受けることにより、適切なメイクを行うことができる。特に、顔色が悪い事が強調されているため、これを補うようなメイクを行うことができる。なお、例えば、撮像部１６の撮像した画像を解析することによりユーザがメイクを開始したことを検知したら、発光部１７によるＲの成分を抑制した発光から、Ｒ成分の抑制を解除した自然な発光に切り替えてもよい。このようにすることにより、ユーザは、Ｒ成分の抑制を解除した自然な発光のもとで、自身に施したメイクの進捗やメイク度合いを正確に把握しながらメイクすることができる。
【００６１】
ステップＳ１６において、判定部１１２は、第１の体調情報と、第２の体調情報とを比較し、この比較結果に基づいて、体調情報が改善したか否かを判定する。この第２の体調情報は、ステップＳ１５における報知後に、ユーザにより行われたメイクにて赤系の粉体等の化粧品（例えば、赤系の口紅やチーク等）がユーザの顔に塗られたことにより、顔に赤味が着色されたユーザの体調情報である。
【００６２】
第１の体調情報のＲの値よりも第２の体調情報のＲの値の方が所定値以上増加していない場合には、体調情報が改善していないことから、ステップＳ１６においてＮｏと判定され、ステップＳ１６を繰り返す。これは、ユーザによりメイクが未だ不十分であることを示す。
一方で、第１の体調情報のＲの値よりも第２の体調情報のＲの値の方が所定値以上増加していた場合には、体調情報が改善していることから、ステップＳ１６においてＹｅｓと判定され、処理はステップＳ１７に進む。これは、ユーザにより適切にメイクが行われたことを示す。
なお、判定部１１２は、Ｒ成分が抑制された発光で晒されたユーザの顔に関する情報を取得した後に、その発光に晒された顔に対する色調の影響を後処理により除外した上で、第１の体調情報と第２の体調情報との比較を行うようにしてもよいし、比較に用いられるユーザの顔画像を取得する際は発光を止める、またはＲの成分の抑制を止めた自然光で顔を照らすようにしてもよい。このような処理を行うことで、判定部１１２による判定時に赤色成分が抑制された発光の影響を加味した上で比較判定を行うよう必要をなくすことができる。
【００６３】
ステップＳ１７において、選択部１１３及び制御部１１４が協働することにより、ユーザに対して報知を行う。この報知において、例えば、選択部１１３は、報知部として発光部１７を選択する。そして、制御部１１４は、発光部１７を制御することにより、発光部１７の発光状態を報知装置１の起動時と同様の、所定の状態に戻す。この所定の状態とは、上述したように、鏡部３０に映し出されたユーザの顔が自然に見える状態である。また、選択部１１３は、報知部として表示部１９を選択する。そして、制御部１１４は、ユーザに対して、例えば、「メイクにより顔色が改善しました。」等の体調に係るアドバイスを含むメッセージを文字やイラストを表示部１９に表示することで報知する。
【００６４】
ステップＳ１７における報知を行った場合の、鏡部３０及び報知部（すなわち、発光部１７及び表示部１９）の状態について図６（Ｂ−２）として示す。この場合、発光部１７は、意図的にＲの成分を抑制した状態から、鏡部３０に映し出されたユーザの顔が自然に見える状態に戻る。更に、表示部１９には、上述したようなメッセージが表示される。
【００６５】
ユーザは、メッセージを確認することにより、顔色が改善したことを把握できる。また、ユーザは、鏡部３０に映し出されたユーザの顔が自然に見える状態で、メイク後の顔を確認することができる。これにより、体調報知処理は終了する。
【００６６】
一方で、ケアモードが選択されている場合は、ステップＳ１８において、選択部１１３及び制御部１１４が協働することにより、ユーザに対して報知を行う。この報知において、例えば、選択部１１３は、報知部として表示部１９を選択する。そして、制御部１１４は、ユーザに対して、例えば、血行をよくするためのマッサージの方法を表示部１９に表示することで報知する。
【００６７】
ステップＳ１８における報知を行った場合の、鏡部３０及び報知部（すなわち、発光部１７及び表示部１９）の状態について図６（Ｃ−１）として示す。この場合、表示部１９には、血行をよくするためのマッサージの方法が表示される。
ユーザは、このような報知を受けることにより、血行をよくするためのマッサージを行うことができる。
【００６８】
ステップＳ１９において、判定部１１２は、ステップＳ１８の報知が行われてから所定時間が経過したか否かを判定する。所定時間は、マッサージによって血行がよくなるのに十分な時間とする。所定時間が経過していない場合には、ステップＳ１９においてＮｏと判定され、ステップＳ１９の判定が繰り返される。一方で、所定時間が経過した場合には、ステップＳ１９においてＹｅｓと判定され、処理はステップＳ２０に進む。
【００６９】
ステップＳ２０において、判定部１１２は、第１の体調情報と、第２の体調情報とを比較し、この比較結果に基づいて、体調情報が改善したか否かを判定する。この第２の体調情報は、血行をよくするためのマッサージを行った後のユーザの体調情報である。
【００７０】
第１の体調情報のＲの値よりも第２の体調情報のＲの値の方が所定値以上増加していた場合には、体調情報が改善していることから、ステップＳ２０においてＹｅｓと判定され、処理はステップＳ２１に進む。これは、ユーザにより血行をよくするためのマッサージが行われたことにより、血行がよくなり、顔に赤味が出たことを示す。
【００７１】
ステップＳ２１において、選択部１１３及び制御部１１４が協働することにより、ユーザに対して報知を行う。この報知において、例えば、選択部１１３は、報知部として表示部１９を選択する。そして、制御部１１４は、ユーザに対して、例えば、「マッサージにより顔色が改善しました。」等のメッセージを文字やイラストを表示部１９に表示することで報知する。
【００７２】
ステップＳ２１における報知を行った場合の、鏡部３０及び報知部（すなわち、発光部１７及び表示部１９）の状態について図６（Ｃ−２）として示す。この場合、表示部１９には、上述したようなメッセージが表示される。
ユーザは、メッセージを確認することにより、顔色が改善したことを把握できる。これにより、体調報知処理は終了する。
【００７３】
一方で、第１の体調情報のＲの値よりも第２の体調情報のＲの値の方が所定値以上増加していない場合には、体調情報が改善していないことから、ステップＳ２０においてＮｏと判定され、処理はステップＳ２２に進む。これは、十分にマッサージを行ったにも関わらず、血行が良くならず、顔に赤みが出ていないことを示す。この点、メイクモードの場合には、メイクを継続することにより、最終的に体調情報が改善する（すなわち、最終的にＲの値が所定値以上増加する）と考えられるので、ステップＳ１６のように体調情報が改善するまで判定を継続した。しかしながら、ケアモードの場合には、十分にマッサージを行ったにも関わらず、体調情報が改善しないのであれば、ユーザは現在体調不良であり、これ以上マッサージを継続しても、体調情報が改善しないと考えられる。そのため、ステップＳ１６のように判定を継続することなく、ステップＳ２２に進む。
【００７４】
ステップＳ２２において、選択部１１３及び制御部１１４が協働することにより、ユーザに対して報知を行う。この報知において、例えば、選択部１１３は、報知部として表示部１９を選択する。そして、制御部１１４は、ユーザに対して、例えば、「マッサージを行いましたが顔色が改善しませんでした。」等のメッセージを文字やイラストを表示部１９に表示することで報知する。ユーザは、メッセージを確認することにより、顔色が改善しなかったことを把握できる。そのため、ユーザは、自身が貧血や胃潰瘍等の状態にある可能性があることを把握できる。また、これに応じて病院にて受信すること等も検討することができる。これにより、体調報知処理は終了する。
【００７５】
以上説明した処理により、報知装置１は、取得した体調情報を改善するための支援情報を、ユーザに対して報知することができる。従って、ユーザは、体調情報を改善するための方法を把握することができる。
【００７６】
以上のように構成される報知装置１あるいは以下で後述する変形例のように構成される報知装置１は、体調情報取得部１１１あるいは化粧情報取得部１１５と、報知部としての発光部１７及び表示部１９と、制御部１１４と、判定部１１２とを備える。
体調情報取得部１１１あるいは化粧情報取得部１１５は、顔情報を取得する。
報知部としての発光部１７及び表示部１９は、顔情報に基づく報知を行う。
判定部１１２は、報知前の顔情報と、報知後の顔情報との変化を判定する。
制御部１１４は、判定部１１２による判定結果に基づいて報知部としての発光部１７及び表示部１９による報知を制御する。
これにより、報知装置１は、取得した顔情報に基づいたユーザ自身の変化を、ユーザに対して報知することができる。従って、ユーザは、ユーザ自身の状態の変化（例えば、体調情報の変化や、化粧での変化）を把握することができる。すなわち、報知装置１によれば、ユーザの状態の変化を、ユーザに対してより適切に認識させることができる。
【００７７】
報知装置１は、報知部としての発光部１７及び表示部１９を複数種備えると共に、選択部１１３を更に備える。
選択部１１３は、報知部としての発光部１７及び表示部１９の種類を選択する。
制御部１１４は、選択部１１３により選択された報知部としての発光部１７及び表示部１９による報知を制御する。
これにより、報知装置１は、選択した報知部により、報知することができる。従って、報知装置１は、例えば、ユーザが設定したモードそれぞれに適した報知を行うことができる。
【００７８】
判定部１１２は、報知前の顔情報と報知後の顔情報との差分を算出する。
制御部１１４は、判定部１１２が算出した差分を前記報知部としての発光部１７及び表示部１９に報知させる。
これにより、報知装置１は、取得した顔情報に基づいたユーザ自身の変化を示す情報である顔情報の差分を、ユーザに対して報知することができる。従って、ユーザは、ユーザ自身の変化を示す情報である顔情報の差分を把握することができる。
【００７９】
制御部１１４は、顔情報を強調するように報知部としての発光部１７及び表示部１９に報知させる。
これにより、ユーザは、通常であれば気付きにくい自身の状態を、より適切に把握することができる。
【００８０】
制御部１１４は、顔情報に応じた所定の行動を促す情報を報知部としての発光部１７及び表示部１９に報知させる。
これにより、ユーザは、顔情報に応じた所定の行動を行うことができ、これに伴い体調を改善したり、適切に化粧を行ったりすることが可能となる。
【００８１】
体調情報取得部１１１あるいは化粧情報取得部１１５は、顔情報として顔情報の取得対象である被写体の画像を取得し、
判定部１１２は、被写体の画像に基づいて、報知前の顔情報と、報知後の顔情報との変化を判定する。
これにより、報知装置１は、ユーザの顔画像等に基づいて、体調情報が改善したか否かや、化粧が適切に行えたか否かを、判定することができる。例えば、顔画像を解析することにより特定した顔色の変化に基づいて判定をすることができる。
【００８２】
報知部としての発光部１７及び表示部１９は発光により報知を行うものであり、
制御部１１４は、判定部１１２による判定結果に基づいて報知部としての発光部１７及び表示部１９の発光を制御する。
これにより、報知装置１は、発光を利用して報知を行うことができる。例えば、発光におけるＲＧＢ成分の内の、Ｒの成分を軽減する制御することにより、ユーザの顔色を強調するような報知ができる。
【００８３】
報知部としての発光部１７及び表示部１９は文字により報知を行うものであり、
制御部１１４は、判定部１１２による判定結果に基づいて報知部としての発光部１７及び表示部１９により報知される文字を制御する。
これにより、報知装置１は、文字を用いたメッセージ文等で報知をすることができる。
【００８４】
報知部としての発光部１７及び表示部１９は文字により報知を行うものであり、
制御部１１４は、判定部１１２による判定結果に基づいて報知部としての発光部１７及び表示部１９により報知される文字の表示位置を制御する。
これにより、報知装置１は、文字を用いたメッセージ文等の表示位置を制御した上で報知をすることができる。
【００８５】
報知装置１は、顔情報の取得対象である被写体を表示する表示部１９もしくは鏡部３０を有する。
これにより、報知装置１は、鏡や、ディスプレイ等の画像表示部により、ユーザの顔等を、ユーザに視認させることができる。
【００８６】
表示部の表示面と、報知部としての発光部１７及び表示部１９の表示面とが、同時に視認可能に視認方向に重畳して配置される。
これにより、ユーザは、表示部により反射等される自身の顔等と、報知される情報とを同時に視認することができる。
【００８７】
体調情報取得部１１１あるいは化粧情報取得部１１５は、顔情報として体調に関する情報又は化粧に関する情報を取得する。
これにより、報知の前後における、体調に関する変化又は化粧に関する変化について判定をすることができる。そのため、体調に関する変化又は化粧に関する変化に基づいた報知を行うことが可能となる。
【００８８】
報知部としての発光部１７及び表示部１９は、顔情報に基づいて、支援情報又は評価情報を報知する。
これにより、ユーザは、自身の顔情報に基づいた、支援情報（例えば、体調を改善させるためのアドバイス）や、評価情報（例えば、化粧に関する評価）の報知を受けることができる。
【００８９】
［効果］
次に、上述した実施形態が奏する効果について説明をする。
前提として、例えば、就職活動中の人物や接客業に従事している人物は、立場上、疲れた顔や不健康に見える顔を他人に見せることは望ましくない。そこで、これらの人物は、自宅等で鏡に映し出された自身の顔等を確認しながら化粧等を行うことにより、疲れた顔や不健康な顔をカバーする。
【００９０】
しかし化粧のプロや化粧方法を教わったことがある人以外は疲れた顔をどうやってカバーできるのか手段がわからない。特に体調不良や寝不足の時は「どうしたらカバーしよう？」などと考える余裕すらない。仕事・家事・育児・介護等の連続で日々の疲労が蓄積した慢性疲労の場合、自分が疲れた顔をしている（顔色が悪い）という自覚がそもそもなく他人に指摘されて初めて気づく人も多い。疲れが顔に出ていることに自覚がないまま行動していると、第一印象で就職活動や接客・商談が上手くいかないといった悪循環に陥る上、健康を損ね病気の原因にも繋がる。
【００９１】
そこで、ユーザは上述した実施形態を利用することにより、以下のような効果を得ることができる。
慢性疲労の場合、顔色の悪さや疲れた表情をしていることに本人は気づきにくい。慢性疲労の影には病気が潜んでいる場合もある。しかしながら、本実施形態によれば、血色を良く見せる化粧やマッサージを促すことできるので、見た目を改善するだけではなく、本人に自覚を促すことができる。
【００９２】
また、就職活動や接客業の人達は、不健康な印象を第一印象で与えてしまうと失敗する。しかしながら、本実施形態によれば、起床時に洗面台の鏡で疲れた顔をしていたとしても、鏡がその場で元気に見せるメイクの提案をしてくれるため、忙しい朝に慌てなくても印象が良いメイクを施すことができる。
【００９３】
更に、本実施形態によれば、鏡が教えてくれることで、わざわざ調べなくても、メイクの方法やマッサージの方法がわかる。
更に、本実施形態によれば、マッサージをしても顔色の悪さが抜けない場合は病気の疑いがあることから、大病になる前に体調不良に気づくことが出来る。
【００９４】
［変形例］
なお、本発明は、上述の実施形態に限定されるものではなく、本発明の目的を達成できる範囲での変形、改良等は本発明に含まれるものである。
【００９５】
［過去の体調情報を用いる変形例］
例えば、上述の実施形態において、判定部１１２は、ステップＳ１３における報知後に、ステップＳ１６やステップＳ２０にて判定を行っていた。そして、この判定では、判定部１１２は、第１の体調情報と第２の体調情報とを比較し、この比較結果に基づいて、体調情報が改善したか否かを判定していた。
【００９６】
これを変形して、判定部１１２は、ステップＳ１３における報知後に、ステップＳ１６やステップＳ２０にて、過去に取得した体調情報（以下、この体調情報を「過去体調情報」と称する。）と第２の体調情報とを比較するようにしてもよい。ここで、過去体調情報とは、ステップＳ１３における報知前に、体調情報取得部１１１が、撮像部１６の撮像した画像を解析することにより取得した体調情報である。
【００９７】
具体的には、例えば、体調情報取得部１１１は、前回の体調報知処理において取得した第１の体調情報や第２の体調情報を、判定情報記憶部２０１に格納しておく。そして、今回の体調報知処理では、判定部１１２は、判定情報記憶部２０１に格納されている、これら第１の体調情報や第２の体調情報を過去体調情報として利用する。これにより、判定部１１２は、例えば前日の体調情報（過去体調情報）と、今の体調情報（第２の体調情報）との比較を行うことができる。
【００９８】
また、この比較では、上述した実施形態のように、比較結果に基づいて、体調情報が改善したか否かを判定してもよいが、変化の有無や変化の度合いを判定してもよい。この場合、例えば、判定部１１２は、過去体調情報と、第２の体調情報との差分を算出することにより判定を行う。算出される差分は、例えば、Ｒの値の差分である。
【００９９】
そして、この比較が終了後、ステップＳ１７、ステップＳ２１及びステップＳ２２における報知に代えて、選択部１１３及び制御部１１４が協働することにより、ユーザに対して、差分を示すメッセージを報知するようにしてもよい。
この報知において、例えば、選択部１１３は、報知部として表示部１９を選択する。そして、制御部１１４は、ユーザに対して、例えば、「昨日に比べて顔色が優れませんよ。」や「昨日よりも元気な顔色ですね。」等の差分を示すメッセージを文字やイラストを表示部１９に表示することで報知する。
【０１００】
このように、過去体調情報との比較を行ったり、過去体調情報との差分を報知したりすることによっても、ユーザ自身の体調の変化を、ユーザに対してより適切に認識させることが可能となる。
【０１０１】
なお、判定部１１２が、過去体調情報と、第２の体調情報とを比較するためにＲの値の差分を算出し、このＲの値の差分を報知する例について説明したがこれに限られない。判定部１１２は、ＲＧＢのうち少なくとも１つ以上のパラメータについて差分の算出を行ってもよく、更には画像解析や生体センサから得られる生体情報について差分の算出を行うようにしてもよい。また、制御部１１４は、ユーザに対して、これらの差分を報知するようにしてもよい。更に、過去体調情報は、過去のある時点で取得した体調情報であってもよいが、過去の複数の時点で取得した複数の体調情報の平均値であってもよい。
【０１０２】
［他の体調情報を用いる変形例］
他にも、例えば、上述の実施形態において、ユーザの顔領域のＲの値を体調情報として利用して、体調報知処理を行っていた。これを変形して、他の体調情報を用いて、体調報知処理を行うようにしてもよい。例えば、撮像部１６に赤外線フィルタ等を用いることにより、体調情報取得部１１１が、ユーザの体温を取得するようにする。そして、このユーザの体温を体調情報として利用するようにしてもよい。
【０１０３】
［報知方法を異ならせる変形例］
他にも、例えば、上述の実施形態において、報知を行う場合に、所定のメッセージを報知する場合に、選択部１１３は、表示部１９を選択していた。そして、制御部１１４は、表示部１９にメッセージを表示することにより報知を行っていた。これを変形して、他の方法で報知を行うようにしてもよい。例えば、選択部１１３は、図示を省略したスピーカを選択するようにしてもよい。そして、制御部１１４は、所定のメッセージに対応する音声をスピーカから出力するようにしてもよい。
【０１０４】
［発光部を他の用途に用いる変形例］
他にも、例えば、発光部１７を他の用途に利用するようにしてもよい。例えば、ユーザの血圧に働きかける用途に発光部１７を利用するようにしてもよい。
この場合、体調情報取得部１１１が、外部の血圧測定機器と通信を行う等して、ユーザの血圧情報を取得する。そして、制御部１１４が、取得した血圧情報に応じて発光部１７の発光を制御する。具体的には、取得した血圧の値が高い場合には、制御部１１４は、発光部１７を制御することによりＢの成分を増加させて青色系で発光するように制御する。青色系の発光をみることで、血圧が下がる効果があるためである。一方で、取得した血圧の値が低い場合には、制御部１１４は、発光部１７を制御することによりＲの成分を増加させて赤色系で発光するように制御する。赤色系の発光をみることで、血圧が上がる効果があるためである。
【０１０５】
［化粧に対する評価に適用する変形例］
上述した実施形態では、報知装置１は、取得した体調情報を改善するための支援情報をユーザに対して報知していた。これに限らず、報知装置１は、他の情報をユーザに対して報知するようにしてもよい。例えば、報知装置１は、体調情報を改善するための支援情報ではなく、ユーザに施された化粧に対する評価を含む評価情報を報知するようにしてもよい。そのために報知装置１は、本変形例において、上述した実施形態で行った「体調報知処理」ではなく、「化粧報知処理」を行う。この化粧報知処理を行うための機能的構成及び動作について、以下、図７及び図８を参照して説明する。
【０１０６】
（機能的構成）
図７は、報知装置１の機能的構成のうち、化粧報知処理を実行するための機能的構成を示す機能ブロック図である。
化粧報知処理とは、報知装置１がユーザに施された化粧に対する評価を含む評価情報を報知する一連の処理である。
化粧報知処理が実行される場合、図７に示すように、ＣＰＵ１１において、化粧情報取得部１１５と、判定部１１２と、選択部１１３と、制御部１１４とが機能する。上述の実施形態における、体調報知処理が実行される場合と比較して、体調情報取得部１１１が、化粧情報取得部１１５に置き換わっている点で相違する。
また、記憶部２０の一領域には、判定情報記憶部２０１と、報知情報記憶部２０２とが設定される。
【０１０７】
判定情報記憶部２０１には、判定部１１２が化粧の状態を示す化粧情報についての判定を行うための情報が格納される。具体的には、化粧報知処理での判定の基準となる化粧情報（以下、「化粧情報目標値」と称する。）や、化粧報知処理において取得したユーザの化粧情報（以下、「化粧情報実測値」と称する。）が格納される。
【０１０８】
ここで、化粧情報目標値や化粧情報実測値といった各化粧情報としては、例えば、顔部分に対応する各領域（以下、「評価対象領域」と称する。）の各画素についての色を示す情報を用いることができる。
【０１０９】
例えば、頬、唇、目元、まつ毛、及びＴゾーンといった化粧の対象となる器官や部位に対応する領域を評価対象領域とすることができる。この場合、評価対象領域は、ユーザの設定や化粧の内容等に応じて、複数設定されてもよいし、１つのみ設定されてもよい。
また、例えば、これら評価対象領域における、各画素についてのＲＧＢ値を化粧情報として用いることができる。ここで、上述した実施形態では、各画素についてのＲＧＢ値のうち、ユーザの顔の赤みを示すＲの値を、ユーザの体調情報として用いていた。
【０１１０】
これに対して、化粧は、赤以外の、赤や黄色あるいは黒といった様々な色に対応する化粧品も利用して行なわれる。そこで、化粧情報目標値や化粧情報実測値といった各化粧情報としては、Ｒの値のみならず、Ｇの値やＢの値も用いるようにするとよい。
ただしこれは、一例であり、化粧情報として、ＲＧＢのうち少なくとも１つ以上の値を用いるようにしてもよく、更には画像解析等から得られる他の情報を化粧情報として用いるようにしてもよい。
【０１１１】
これら各化粧情報の取得は、後述の化粧情報取得部１１５が行う。化粧情報取得部１１５は、化粧情報目標値を、お手本となるモデル等の人物の画像から抽出することにより取得する。あるいは、化粧情報取得部１１５は、化粧情報目標値を、報知装置１のユーザの画像に対して、美肌処理等の所定の処理を行い、処理後の画像から抽出することにより取得する。
また、化粧情報取得部１１５は、化粧情報実測値を、撮像部１６が撮像した画像を解析して、解析結果に基づいて取得する。
化粧情報取得部１１５は、取得した各化粧情報を、判定情報記憶部２０１に格納する。
【０１１２】
なお、化粧情報取得部１１５による、化粧情報目標値の取得は、化粧報知処理が実行される都度行なわれてもよいし、化粧報知処理に先立って行なわれてもよい。化粧報知処理に先立って行なわれた場合には、化粧情報目標値が、ユーザごとに設けられたデータベース等の形式で、判定情報記憶部２０１に格納される。そして、化粧情報取得部１１５が、化粧報知処理が実行される都度、格納されている化粧情報目標値を読み込んで利用する。
【０１１３】
報知情報記憶部２０２には、制御部１１４の制御に基づいて、発光部１７や表示部１９が報知を行うための情報が格納される。具体的には、発光部１７の発光を制御するための制御情報や、表示部１９に表示をするための文字データ（テキストデータ）や画像データが格納される。
【０１１４】
なお、判定情報記憶部２０１や、報知情報記憶部２０２に格納される各化粧情報や報知情報等の各種のデータについては、記憶部２０にのみ格納されていてもよいが、ドライブ２１によってリムーバブルメディア１００から適宜読み出されるようにしてもよい。
【０１１５】
化粧情報取得部１１５は、判定情報記憶部２０１の説明において上述したように、化粧情報目標値や化粧情報実測値といった各化粧情報を取得する部分である。
化粧情報取得部１１５は、上述したように、お手本となるモデル等の人物の画像からの抽出等を行うことにより、化粧情報目標値を取得する。
【０１１６】
また、化粧情報取得部１１５は、撮像部１６が撮像した画像を解析して、解析結果に基づいて化粧情報実測値を取得する。ここで、図１を参照して上述したように撮像部１６は、鏡部３０に正対したユーザの顔が撮像される位置に配置される。従って、撮像部１６が撮像したユーザの顔部分の画像を解析して、解析結果に基づいて化粧情報実測値を取得する。
【０１１７】
そして、化粧情報取得部１１５は、このように取得した各化粧情報のそれぞれを、判定情報として、判定情報記憶部２０１に格納する。
【０１１８】
判定部１１２は、判定情報記憶部２０１に格納されている各化粧情報に基づいて、化粧が適切に行なわれたか否かを判定する部分である。
ここで、本変形例では、第１の時点で化粧情報取得部１１５が測定した化粧情報実測値（以下、「第１の化粧情報実測値」と称する。）と、第１の時点よりも後の第２の時点で化粧情報取得部１１５が測定した化粧情報実測値（以下、「第２の化粧情報実測値」と称する。）を用いた判定を行う。
【０１１９】
そのために、判定部１１２は、化粧情報目標値と、各化粧情報実測値それぞれとについて差分を算出する。また、判定部１１２は、化粧情報目標値と第１の化粧情報実測値との差分（以下、「第１の差分」と称する。）と、化粧情報目標値と第２の化粧情報実測値との差分（以下、「第２の差分」と称する。）を比較する。そして、判定部１１２は、第２の差分が、第１の差分から変化している場合に、化粧情報実測値が変化したと判定する。これにより、ユーザの化粧情報実測値の変化を判定することができる。
【０１２０】
この場合に、判定部１１２は、例えば、第２の差分が、第１の差分よりも小さくなっている場合には、より化粧情報目標値に近づくように変化したと判定する。これにより、判定部１１２は、第２の時点では第１の時点に比べて、適切に化粧が行えていると判定することができる。
一方で、判定部１１２は、例えば、第２の差分が、第１の差分よりも大きくなっている場合には、より化粧情報目標値から遠ざかるように変化したと判定する。これにより、判定部１１２は、第２の時点では第１の時点に比べて、適切に化粧が行えていない（すなわち、不適切な化粧が行なわれている）と判定することができる。
【０１２１】
また、これらの場合に、判定部１１２は、例えば、報知を行う前の時点を第１の時点とし、報知を行った後の時点を第２の時点とすることにより、報知前後におけるユーザの化粧情報実測値の変化を判定することができる。
【０１２２】
また、本変形例では、判定部１１２は、化粧情報目標値と、各化粧情報実測値とを用いた判定も行う。そのために、判定部１１２は、化粧情報目標値と、各化粧情報実測値（例えば、直近の実測値である、第２の化粧情報実測値）との差分を、所定の閾値と比較する。そして、判定部１１２は、化粧情報目標値と、化粧情報実測値との差分が、所定の閾値よりも小さくなった場合に、化粧における目標に達成したと判定する。
ここで、化粧情報目標値と、化粧情報実測値との差分が、所定の閾値よりも小さくなった場合とは、ユーザが化粧を適切に行なったことにより、目標に近づいた化粧を行うことができた場合に相当する。また、判定部１１２は、評価対象領域が複数ある場合には、この複数の評価対象領域のそれぞれについて上述の判定を行う。
【０１２３】
判定部１１２は、これら各判定により得られた判定結果を、後述の選択部１１３や、制御部１１４に対して出力する。これにより、後述の選択部１１３及び制御部１１４は、これら各判定の結果に基づいて、報知を制御することができる。
【０１２４】
選択部１１３は、化粧報知処理において、報知に用いる報知部を選択する部分である。選択部１１３は、判定部１１２の判定結果に基づいて決定される報知の内容等に応じて、適切な報知部を選択する。
【０１２５】
制御部１１４は、判定部１１２の判定結果に基づいて、選択部１１３が選択した報知部を制御することにより報知を実行する部分である。
これら各部が協働して実行される報知の具体的な内容については、以下の［動作］の説明において詳細に説明する。
【０１２６】
（動作）
次に、本変形例における報知装置１の動作を説明する。図８は、報知装置１が実行する化粧報知処理の流れを説明するフローチャートである。
化粧報知処理は、例えば、報知装置１の起動と共に開始される。
【０１２７】
ステップＳ３１において、化粧情報取得部１１５は、撮像部１６の撮像した画像を解析することにより、鏡部３０の前に正対したユーザを検出する。
【０１２８】
ステップＳ３２において、化粧情報取得部１１５は、鏡部３０の前に正対したユーザに対して、フェイストラッキングを行うことにより、評価対象領域を検出する。フェイストラッキングは、画像解析により、ユーザの輪郭や、ユーザの特徴点（例えば、各器官等の位置を示す特徴点）を特定することにより実現できる。
ステップＳ３３において、化粧情報取得部１１５は、ステップＳ３２にて検出した各評価対象領域それぞれについての、化粧情報目標値を取得する。
【０１２９】
ステップＳ３４において、化粧情報取得部１１５は、ステップＳ３２にて検出した各評価対象領域それぞれについての、化粧情報実測値を取得する。
ステップＳ３５において、判定部１１２は、ステップＳ３３にて取得した化粧情報目標値と、ステップＳ３４にて取得した化粧情報実測値との差分を算出する。この差分は、上述した第２の差分に相当する。また、今回行ったステップＳ３５よりも、前の時点に行ったステップＳ３５にて算出した差分は、上述した第１の差分に相当する。
【０１３０】
ステップＳ３６において、判定部１１２は、差分に基づいて化粧情報実測値が変化したか否かを判定する。具体的には、判定部１１２は、上述したように、第１の差分と、第２の差分を比較する。そして、第２の差分が、第１の差分から変化している場合に、化粧情報実測値が変化したと判定する。この場合に、上述したように、更に、第２の差分が第１の差分よりも小さくなる変化をしたか、あるいは、第２の差分が第１の差分よりも大きくなる変化をしたかも判定するようにしてもよい。
【０１３１】
化粧情報実測値が変化（大きくなる変化及び小さくなる変化の双方を含む）した場合は、ステップＳ３６においてＹｅｓと判定され、処理はステップＳ３７に進む。一方で、化粧情報実測値が変化（大きくなる変化及び小さくなる変化の双方を含む）しなかった場合、あるいは略変化しなかった場合は、ステップＳ３６においてＮｏと判定され、処理はステップＳ３４に戻り、現在の第２の差分を新たな第１の差分として、再度、化粧情報実測値の計測が行なわれる。
なお、今回が一回目の処理である場合には、第１の差分は存在せず、今回算出した第２の差分のみが存在することになるので、この場合にも、ステップＳ３６においてＮｏと判定され、処理はステップＳ３４に戻り、現在の第２の差分を新たな第１の差分として、再度、化粧情報実測値の計測が行なわれる。
【０１３２】
ステップＳ３７において、選択部１１３及び制御部１１４が協働することにより、ユーザに対して報知を行う。この報知において、例えば、選択部１１３は、報知部として表示部１９を選択する。そして、制御部１１４は、ユーザに対して、例えば、ステップＳ３７にて変化したと判定された内容や、変化したと判定された評価対象領域を示すメッセージや、イラストを表示部１９に表示することで報知する。
【０１３３】
例えば、第２の差分が第１の差分よりも小さくなる変化をした場合には、制御部１１４は、例えば「メイクが適切に行えていますよ！」等の、ユーザに施された化粧が適切である旨の評価を含むメッセージを更に表示部１９に表示すようにしてもよい。一方で、第２の差分が第１の差分よりも大きくなる変化をした場合には、制御部１１４は、例えば「メイクが上手くいっていないようです！」等の、ユーザに施された化粧に対する評価を含むメッセージを更に表示部１９に表示すようにしてもよい。
【０１３４】
また、制御部１１４は、例えば、第１の差分や第２の差分の値そのものや、第１の差分や第２の差分の変化量を、化粧の達成値としてユーザに対して報知するようにしてもよい。例えば、これらの値を達成率としてユーザに対して報知するようにしてもよい。
この場合に、例えば、ＲＧＢそれぞれ値のどの値が、もっとも化粧情報目標値との差分が大きいか（又は小さいか）をユーザに対して報知するようにしてもよい。例えば、評価対象領域がユーザの唇であり、Ｒの値の差分が大きい場合に、「唇に赤みが足りないようです。赤い口紅をもう少し塗って下さい。」等の、ユーザに施された化粧が不適切である旨の評価や、化粧の改善方法を含むメッセージを更に表示部１９に表示すようにしてもよい。
【０１３５】
ステップＳ３８において、判定部１１２は、ステップＳ３５にて算出した、化粧情報目標値と、第２の化粧情報実測値との差分（すなわち、第２の差分）を、所定の閾値と比較することにより、目標に到達した評価対象領域（すなわち、適切に化粧をすることができた評価対象領域）があったか否かを判定する。目標に到達した評価対象領域があった場合は、ステップＳ３８においてＹｅｓと判定され、処理はステップＳ３９に進む。一方で、目標に到達した評価対象領域がなかった場合は、ステップＳ３８においてＮｏと判定され、処理はステップＳ３４に戻り、現在の第２の差分を新たな第１の差分として、再度、化粧情報実測値の計測が行なわれる。
【０１３６】
ステップＳ３９において、選択部１１３及び制御部１１４が協働することにより、ユーザに対して報知を行う。この報知において、例えば、選択部１１３は、報知部として表示部１９を選択する。そして、制御部１１４は、ユーザに対して、例えば、ステップＳ３８にて目標に到達したと判定された評価対象領域を示すメッセージや、イラストを表示部１９に表示することで報知する。この場合に、例えば「メイクが適切に行えていますよ！」等の、ユーザに施された化粧に対する評価を含むメッセージを更に表示部１９に表示すようにしてもよい。
【０１３７】
ステップＳ４０において、判定部１１２は、全ての評価対象領域についてステップＳ３９の報知を行ったか否か（すなわち、全ての評価対象領域が目標に到達したか否か）を判定する。
全ての評価対象領域についてステップＳ３９の報知を行った場合は、ステップＳ４０においてＹｅｓと判定され、本処理は終了する。一方で、全ての評価対象領域についてステップＳ３９の報知を行っていない場合は、ステップＳ４０においてＮｏと判定され、処理はステップＳ３４に戻り、現在の第２の差分を新たな第１の差分として、再度、化粧情報実測値の計測が行なわれる。
【０１３８】
以上説明した化粧報知処理により、報知装置１は、ユーザに施された化粧に対する評価を含む評価情報を報知することができる。従って、ユーザは、自身に施した化粧が適切であるか否かを把握することができる。
【０１３９】
なお、上述した化粧報知処理では、ユーザに施された化粧に対する評価を含む評価情報として、目標に到達したか否かと、目標に到達した評価対象領域が何れの領域であるかを報知していた。これに限らず、更に段階的な評価を行い、この段階的な評価結果を報知するようにしてもよい。例えば、所定の閾値を段階的に複数設け、化粧情報目標値と、化粧情報実測値との差分が何れかの閾値以下になる都度、異なる内容の報知を行うようにしてもよい。
【０１４０】
この場合、例えば、第１の閾値と、これよりも小さな第２の閾値を設ける。そして、化粧が開始されて、化粧情報目標値と、化粧情報実測値との差分が第１の閾値以下となった時点で、「もう少しで目標に到達します！」等のメッセージを報知する。また、化粧が継続されて、化粧情報目標値と、化粧情報実測値との差分が第２の閾値以下となった時点で、「目標に到達しました！」等のメッセージを報知する。
これにより、ユーザに対して段階的な評価を含む評価情報を報知することができる。また、このような段階的な報知を、複数の評価対象領域それぞれについて行うようにしてもよい。更に、段階は、このように２つではなく、より多く設けるようにしてもよい。
【０１４１】
また、上述した化粧報知処理では、第１の差分と第２の差分の変化がない場合に、ステップＳ３６においてＮｏと判定しているが、特にこの判定に関する報知を行っていなかった。これに限らず、例えば、「お化粧状態に変化がないようです。指定の箇所に対してお化粧してみて下さい。」等のメッセージを報知するようにしてもよい。また、所定の時間が経過する間、第１の差分と第２の差分の変化がなく、ステップＳ３６においてＮｏの判定が継続した場合に、化粧報知処理を終了するようにしてもよい。
【０１４２】
また、上述した化粧報知処理では、ステップＳ３６において、第１の差分と第２の差分を比較することにより、化粧情報実測値が変化したか否かを判定していた。これに限らず、第１の化粧情報実測値それ自身と、第２の化粧情報実測値それ自身とを比較することにより、化粧情報実測値が変化したか否かを判定するようにしてもよい。また、この場合に、第２の化粧情報実測値が、第１の化粧情報実測値から、どのように変化したか（例えば、ＲＧＢの値が増加したか減少したか）と、化粧情報目標値とを比較することにより、第２の時点では第１の時点に比べて、適切に化粧が行えているか否かの判定を行うこともできる。
更に、上述した化粧報知処理では、ステップＳ３８において、化粧情報目標値と第２の化粧情報実測値との差分（すなわち、第２の差分）を、所定の閾値と比較することにより、目標に到達した評価対象領域（すなわち、適切に化粧をすることができた評価対象領域）があったか否かを判定していた。これに限らず、第２の化粧情報実測値それ自身と、所定の閾値とを比較することにより、目標に到達した評価対象領域があったか否かを判定するようにしてもよい。
つまり、化粧報知処理において、各化粧情報目標値の差分を算出することなく、判定を行うようにしてもよい。
【０１４３】
また、化粧情報目標値の取得の方法を異ならせるようにしてもよい。この場合、例えば、報知装置１は、上述した化粧報知処理に先立って仮想的な化粧（以下、「バーチャルメイク」と称する。）を行う。バーチャルメイクでは、撮像部１６において撮像したユーザの画像と、仮想的な化粧品に対応する色とを重畳して表示部１９に表示する。また、ユーザによる操作に基づいて、仮想的な化粧品による化粧の状態を異ならせる。例えば、仮想的な化粧品が仮想的なチークである場合に、ユーザの操作に応じて、チークを乗せる位置と形状を異ならせる。あるいは、ユーザの顔の各領域を検出して、チークを乗せる位置と形状を、検出したユーザの顔の各領域の位置と形状に自動的に合わせる。
これにより、ユーザが目標とすべき適切なバーチャルメイクを行うことができる。そして、適切なバーチャルメイクにおける、化粧部分のＲＧＢ値や、化粧部分の形状を、化粧情報目標値として取得する。
【０１４４】
その上で、上述した化粧報知処理において実際に化粧を行うことにより、バーチャルメイクにより取得した化粧情報目標値を利用した、実際の化粧の評価を行うことができる。これにより、ユーザが実際に様々な化粧品を用いた化粧を行うことなく（すなわち、バーチャルメイクを行うのみで）、ユーザの顔をお手本とした化粧情報目標値を取得することが可能となる。
【０１４５】
ただし、これに限らず、化粧品販売店の店頭等で、美容部員等の専門家に実際に化粧をしてもらった顔を撮像部１６で撮影して、その画像から化粧情報目標値を取得するようにしてもよい。これにより、専門家が行った化粧が施された、ユーザの顔をお手本とした化粧情報目標値を取得することが可能となる。
【０１４６】
また、このようにして、ユーザの顔をお手本とした化粧情報目標値を取得した場合に、上述した化粧報知処理において、化粧情報目標値を極めて薄く表示するようにしてもよい。例えば、化粧情報目標値を高い透過率（例えば、９０〜９５％の透過率）で表示したり、化粧情報目標値に対応する形状の縁取り、あるいはメイク手本画像等を表示するようにしたりしてもよい。このようにすれば、上述した化粧報知処理において、ユーザは具体的な目標（手本）を参照しながら、化粧を行うことができる。これにより、化粧情報目標値を、単に化粧の評価に用いるのみならず、ユーザによる化粧の利便性を向上させるためにも用いることができる。
【０１４７】
また、本変形例と、上述した実施形態とを組み合わせるようにしてもよい。すなわち、ユーザの選択操作や、設定等に応じて、体調報知処理と化粧報知処理を選択的に行うようにしてもよい。
【０１４８】
［体調報知処理の変形例］
図５のフローチャートを参照して上述した体調報知処理は一例であり、これに限らない。
例えば、ステップＳ１６において、判定部１１２は、第１の体調情報と、第２の体調情報とを比較し、この比較結果に基づいて、体調情報が改善したか否かを判定していた。この処理を変形し、ステップＳ１６において、判定部１１２は、基準体調情報と第１の体調情報との差分及び基準体調情報と第２の体調情報との差分を比較するようにしてもよい。そして、その差分の比較結果に基づいて、体調情報がどのように変化したかを判定してもよい。具体的には、第１の体調情報と基準体調情報との差分に比べて第２の体調情報と基準体調情報との差分が減少していたら体調が改善したと判定し、Ｓ１６においてＹｅｓと判定するようにし、また、第１の体調情報と基準体調情報との差分に比べて第２の体調情報と基準体調情報との差分が増加または変化していなかったら体調が改善していないと判定し、Ｓ１６においてＮｏと判定するようにしてもよい。
そして、ステップＳ１７において、選択部１１３及び制御部１１４が協働することにより、ユーザに対して、メイクにより、体調情報が改善した旨を示す報知を行うようにしてもよい。更に、ステップＳ１７おける報知後に、第２の体調情報と基準体調情報との差分と所定の閾値とを比較することにより、現時点の状態が目標に到達した評価対象領域（すなわち、体調が確実に改善したことを示す評価対象領域）となったか否かを判定するようにしてもよい。また、この判定において、現時点の状態が目標に達到したと判定された場合に、その旨の報知を行ってから、本体調報知処理を終了するようにしてもよい。
このように変形することにより、メイクにより、ユーザの体調情報が改善するまで、体調報知処理を継続することが可能となる。
【０１４９】
同様に、ステップＳ２０においても、判定部１１２は、基準体調情報と、第２の体調情報とを比較するようにしてもよい。この場合、基準体調情報と第１の体調情報との差分及び基準体調情報と第２の体調情報との差分を比較するようにしてもよい。そして、その差分の比較結果に基づいて、体調情報がどのように変化したかを判定してもよい。具体的には、第１の体調情報と基準体調情報との差分に比べて第２の体調情報と基準体調情報との差分が減少していたら体調が改善したと判定し、Ｓ２０においてＹｅｓと判定するようにし、また、第１の体調情報と基準体調情報との差分に比べて第２の体調情報と基準体調情報との差分が増加または変化していなかったら体調が改善していないと判定し、Ｓ２０においてＮｏと判定するようにしてもよい。
そして、ステップＳ２１において、選択部１１３及び制御部１１４が協働することにより、ユーザに対して、マッサージにより、体調情報が改善した旨を示す報知を行うようにしてもよい。更に、ステップＳ２１おける報知後に、第２の体調情報と基準体調情報との差分と所定の閾値とを比較することにより、現時点の状態が目標に到達した評価対象領域（すなわち、体調が確実に改善したことを示す評価対象領域）となったか否かを判定するようにしてもよい。また、この判定において、現時点の状態が目標に達到したと判定された場合に、その旨の報知を行ってから、本体調報知処理を終了するようにしてもよい。
このように変形することにより、マッサージにより、ユーザの体調情報が改善するまで、体調報知処理を継続することが可能となる。
【０１５０】
また、他の変形例として、ステップＳ１２及びステップＳ１３を省略するようにしてもよい。つまり、基準体調情報と、第１の体調情報とを比較することなく、ステップＳ１４以降の処理を行うようにしてもよい。
このように変形することにより、例えばユーザの体調が良好であってもユーザの体調情報を、より改善させるために、体調報知処理を行うことが可能となる。
【０１５１】
また、他の変形例として、ユーザの操作等に応じて、メイクモードを行う旨を予め設定しておくことにより、ステップＳ１８乃至ステップＳ２２は、行なわないようにしてもよい。すなわち、ケアモードは、行なわないようにしてもよい。この場合に、更にステップＳ１２乃至ステップＳ１５を省略する一方で、ステップＳ１６とステップＳ１７を以下のように変更してもよい。
すなわち、ステップＳ１６で体調情報が改善したか否かを判定し、ステップＳ１７でその結果に基づく支援情報又は評価情報を報知して、その後、再度ステップＳ１６に戻るように変形してもよい。
【０１５２】
また、他の変形例として、ユーザの操作等に応じて、ケアモードを行う旨を予め設定しておくことにより、ステップＳ１５乃至ステップＳ１７は、行なわないようにしてもよい。すなわち、メイクモードは、行なわないようにしてもよい。この場合に、更にステップＳ１８乃至ステップＳ１９を省略する一方で、ステップＳ２０とステップＳ２１を以下のように変更してもよい。
すなわち、ステップＳ２０で体調情報が改善したか否かを判定し、ステップＳ２１やステップＳ２２でその結果に基づく支援情報又は評価情報を報知して、その後、再度ステップＳ２０に
戻るように変形してもよい。
【０１５３】
また、上述した体調報知処理では、ステップＳ１２、ステップＳ１６、及びステップＳ２０の判定において、ユーザの体調情報（例えば、ユーザの顔の赤みを示すＲの値）を用いた判定を行っていた。つまり、ユーザの体調が改善したか否かについて判定を行っていた。
これに限らず、ステップＳ１２、ステップＳ１６、及びステップＳ２０の判定において、ユーザの化粧情報（例えば、様々な色合いの化粧品を用いた化粧の状態を示すＲＧＢの各値）を用いた判定を行うようにしてもよい。つまり、ユーザの化粧が適切に行なわれているか否かについて判定を行うようにしてもよい。
この場合には、上述したように、ユーザの操作等に応じて、メイクモードを行う旨を予め設定しておくことにより、ステップＳ１８乃至ステップＳ２２は、行なわないようにしてもよい。すなわち、ケアモードは、行なわないようにしてもよい。
【０１５４】
以上［体調報知処理の変形例］として、様々に例示したように、上述した実施形態の要旨を逸脱しない範囲で、上述した体調報知処理を一部変形（省略や置き換えを含む）したり、体調報知処理や化粧報知処理の一部を適宜組み合わせたりしてもよい。
【０１５５】
［化粧報知処理の変形例］
図８のフローチャートを参照して上述した化粧報知処理は一例であり、これに限らない。
例えば、最初に行なわれるステップＳ３５の次に、判定部１１２が、ステップＳ３５にて算出された化粧情報実測値と、化粧情報目標値との差分（すなわち、第１の差分）と、所定の閾値とを比較する処理を追加するようにしてもよい。そして、第１の差分が、所定の閾値よりも小さく、各評価対象領域が既に目標に到達していると判定された場合は、ステップＳ３６以降の処理を行うことなく、化粧報知処理を終了するようにしてもよい。あるいは、ステップＳ３９の報知のみを行って、化粧報知処理を終了するようにしてもよい。なお、第１の差分が、所定の閾値よりも大きく、各評価対象領域が目標に到達していないと判定された場合は、ステップＳ３６以降の処理を行うこととなるが、その後のフローとして再度、上述したような第１の差分と所定の閾値とを比較する処理は行なわないようにしてもよい。
【０１５６】
このように変形することにより、そもそも化粧が適切に行なわれている場合には不要となる、第２の差分の算出や、第１の差分と第２の差分の比較といった処理を省略することが可能となる。なお、このようなステップＳ３６以降の処理を行うか否かを判断するために利用される目標である化粧情報目標値は、過去に目標達成とされた自分の顔の化粧情報実測値に基づいて決定された目標値であってもよい。
【０１５７】
また、他の変形例として、ステップＳ３８、ステップＳ３９、及びステップＳ４０を省略するようにしてもよい。この場合、ステップＳ３８に代えて、判定部１１２が、化粧報知処理の開始から所定時間が経過したか否かを判定する処理を追加する。そして、所定時間が経過するまでの間は、ステップＳ３４からステップＳ３７までを繰り返す。また、所定時間が経過した場合には、選択部１１３及び制御部１１４が協働することにより、報知を行う。この報知では、目標に達成した評価対象領域が存在すれば、その旨を報知する。一方で、目標に達成していない評価対象領域が存在すれば、その旨を報知する。この場合に、目標に達成していない評価対象領域については、化粧情報目標値と、第２の化粧情報実測値との差分（すなわち、第２の差分）の値を、化粧の達成値として更に報知するようにしてもよい。
【０１５８】
このように変形することにより、化粧報知処理の時間を予め決定することができる。そして、その時間内に、適切な化粧ができたか否かを報知することができる。また、適切な化粧ができていない場合には、化粧の達成値を報知することができる。
【０１５９】
また、上述した化粧報知処理では、ステップＳ３６及びステップＳ３８の判定において、ユーザの化粧情報（例えば、様々な色合いの化粧品を用いた化粧の状態を示すＲＧＢの各値）を用いた判定を行っていた。つまり、ユーザの化粧が適切に行なわれているか否かについて判定を行っていた。
これに限らず、ステップＳ３６及びステップＳ３８の判定において、ユーザの体調情報（例えば、ユーザの顔の赤みを示すＲの値）を用いた判定を行うようにしてもよい。つまり、ユーザの体調が改善したか否かについて判定を行うようにしてもよい。
【０１６０】
以上［化粧報知処理の変形例］として、様々に例示したように、上述した実施形態の要旨を逸脱しない範囲で、上述した化粧報知処理を一部変形（省略や置き換えを含む）したり、体調報知処理や化粧報知処理の一部を適宜組み合わせたりしてもよい。
【０１６１】
［他の変形例］
また、上述の実施形態では、本発明が適用される報知装置１は、携帯可能な自立式の鏡を例として説明したが、特にこれに限定されない。
例えば、本発明は、姿見等の大型の鏡に組み込まれた電子機器や、据え置き型の洗面化粧台に組み込まれた電子機器や、浴室に設置される鏡形状の電子機器に適用可能である。
【０１６２】
上述した一連の処理は、ハードウェアにより実行させることもできるし、ソフトウェアにより実行させることもできる。
換言すると、図４や図７の機能的構成は例示に過ぎず、特に限定されない。即ち、上述した一連の処理を全体として実行できる機能が報知装置１に備えられていれば足り、この機能を実現するためにどのような機能ブロックを用いるのかは特に図４や図７の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【０１６３】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１６４】
このようなプログラムを含む記録媒体は、ユーザにプログラムを提供するために装置本体とは別に配布される図２のリムーバブルメディア１００により構成されるだけでなく、装置本体に予め組み込まれた状態でユーザに提供される記録媒体等で構成される。リムーバブルメディア２３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２、３の記憶部２０に含まれるハードディスク等で構成される。
【０１６５】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
また、本明細書において、システムの用語は、複数の装置や複数の手段等より構成される全体的な装置を意味するものとする。
【０１６６】
以上、本発明の実施形態について説明したが、この実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【０１６７】
以下に、本願の出願当初の特許請求の範囲に記載された発明を付記する。
［付記１］
顔情報を取得する顔情報取得手段と、
前記顔情報に基づく報知を行う報知手段と、
報知前の前記顔情報と、報知後の前記顔情報との変化を判定する判定手段と、
前記判定手段による判定結果に基づいて前記報知手段による報知を制御する制御手段と、
を備えることを特徴とする報知装置。
［付記２］
前記報知手段を複数種備えると共に、
前記報知手段の種類を選択する選択手段を更に備え、
前記制御手段は、前記選択手段により選択された前記報知手段による報知を制御する、
ことを特徴とする付記１に記載の報知装置。
［付記３］
報知前の前記顔情報と報知後の前記顔情報との差分を算出する算出手段を更に備え、
前記制御手段は、前記算出手段が算出した差分を前記報知手段に報知させる、
ことを特徴とする付記１に記載の報知装置。
［付記４］
前記制御手段は、前記顔情報を強調するように前記報知手段に報知させる、
ことを特徴とする付記１から３の何れか１に記載の報知装置。
［付記５］
前記制御手段は、前記顔情報に応じた所定の行動を促す情報を前記報知手段に報知させる、
ことを特徴とする付記１から３の何れか１に記載の報知装置。
［付記６］
前記顔情報取得手段は、前記顔情報として、前記顔情報の取得対象である被写体の画像を取得し、
前記判定手段は、前記被写体の画像に基づいて、報知前の前記顔情報と、報知後の前記顔情報との変化を判定する、
ことを特徴とする付記１から５の何れか１に記載の報知装置。
［付記７］
前記報知手段は発光により報知を行うものであり、
前記制御手段は、前記判定手段による判定結果に基づいて前記報知手段の発光による報知を制御する、
ことを特徴とする付記１から６の何れか１に記載の報知装置。
［付記８］
前記報知手段は文字により報知を行うものであり、
前記制御手段は、前記判定手段による判定結果に基づいて前記報知手段により報知される文字を制御する、
ことを特徴とする付記１から７の何れか１に記載の報知装置。
［付記９］
前記報知手段は文字により報知を行うものであり、
前記制御手段は、前記判定手段による判定結果に基づいて前記報知手段により報知される文字の表示位置を制御する、
ことを特徴とする付記１から８の何れか１に記載の報知装置。
［付記１０］
前記顔情報の取得対象である被写体を表示する表示部を有し、
前記表示部は、鏡もしくは画像表示部であることを特徴とする付記１から９の何れか１に記載の報知装置。
［付記１１］
前記顔情報取得手段は、前記顔情報として体調に関する情報又は化粧に関する情報を取得することを特徴とする付記１から１０の何れか１に記載の報知装置。
［付記１２］
前記報知手段は、前記顔情報に基づいて、支援情報又は評価情報を報知することを特徴とする付記１から１１の何れか１に記載の報知装置。
［付記１３］
顔情報を取得する顔情報取得ステップと、
前記顔情報に基づいた報知を行う報知ステップと、
報知前の前記顔情報と、報知後の前記顔情報との変化を判定する判定ステップと、
前記判定ステップにおける判定結果に基づいて前記報知ステップによる報知を制御する制御ステップと、
を含むことを特徴とする報知方法。
［付記１４］
コンピュータに、
顔情報を取得する顔情報取得機能と、
前記顔情報に基づいて報知を行う報知機能と、
報知前の前記顔情報と、報知後の前記顔情報との変化を判定する判定機能と、
前記判定機能による判定結果に基づいて前記報知機能による報知を制御する制御機能と、
を実現させることを特徴とするプログラム。
【符号の説明】
【０１６８】
１・・・報知装置，１１・・・ＣＰＵ，１２・・・ＲＯＭ，１３・・・ＲＡＭ，１４・・・バス，１５・・・入出力インターフェース，１６・・・撮像部，１７・・・発光部，１８・・・入力部，１９・・・表示部，２０・・・記憶部，２１・・・ドライブ，１００・・・リムーバブルメディア，１１１・・・体調情報取得部，１１２・・・判定部，１１３・・・選択部，１１４・・・制御部，１１５・・・化粧情報取得部，２０１・・・判定情報記憶部，２０２・・・報知情報記憶部
【図１】
2019125358.tif 000003
【図２】
2019125358.tif 000004
【図３】
2019125358.tif 000005
【図４】
2019125358.tif 000006
【図５】
2019125358.tif 000007
【図６】
2019125358.tif 000008
【図７】
2019125358.tif 000009
【図８】
2019125358.tif 000010